(57)【要約】  本教示は、その大きさを減少させることによって、及び硫酸ナトリウムを含有する、大きさの一致しているダミー粒子と混合することによって、高負荷量酵素顆粒の分布を改善する方法を提供する。また、本教示は、混合物を使用する方法を提供する。
2014510172.tif 000002
【特許請求の範囲】
【請求項１】
少なくとも８０％が約３００〜４００マイクロメートルの直径を含む小酵素顆粒と、
少なくとも８０％が約３００〜４００マイクロメートルの直径を含む、大きさの一致している硫酸ナトリウムダミー粒子と、から本質的になる混合物であって、
前記小酵素顆粒のメジアン径と前記硫酸ナトリウムダミー粒子のメジアン径とが、２０マイクロメートル未満しか異ならないように大きさが一致している、混合物。
【請求項２】
前記硫酸ナトリウムが、無水である、請求項１に記載の混合物。
【請求項３】
前記小酵素顆粒が、硫酸ナトリウムコア、及び前記コアを取り囲む少なくとも１つの層を含み、前記コアを取り囲む前記少なくとも１つの層が、酵素を含む、請求項１又は２に記載の混合物。
【請求項４】
前記酵素が、プロテアーゼである、請求項１〜３のいずれか一項に記載の混合物。
【請求項５】
食器を請求項１〜４のいずれか一項に記載の混合物と接触させることを含む、食器の洗浄方法。
【請求項６】
衣類を請求項１〜４のいずれか一項に記載の混合物と接触させることを含む、衣類の洗浄方法。
【請求項７】
動物に給餌する方法であって、動物飼料を必要とする動物にこのような飼料を提供することを含み、前記飼料が請求項１〜４のいずれか一項に記載の混合物を含む、方法。
【発明の詳細な説明】
【技術分野】
【０００１】
（優先権）
本願は、２０１１年３月１０日出願の国際特許出願第ＰＣＴ／ＣＮ２０１１／０７１６７８号に対する優先権を主張し、その全文を参照により本明細書に援用する。
【０００２】
（発明の分野）
本教示は、酵素顆粒、及びコストが低減され且つ機能性が改善された改善組成物の分野に関する。また、使用方法も提供する。
【背景技術】
【０００３】
洗剤、織物、焼成及び蒸煮ペレット化動物用飼料を含む様々な用途で使用するための、よりコストの低い酵素顆粒が必要とされている。これら用途は、一般的に、水分、温度、及び刺激の強い化学物質から保護する酵素により利益を得る。したがって、酵素は、一般的に、造粒され、１以上の保護コーティングでコーティングされる。感作酵素粉塵に対する曝露からの労働者の保護も、コーティングによって向上する。しかし、造粒及びコーティングは、酵素製品のコストを著しく増大させる。コーティングされた酵素顆粒のコストを低減する１つの手段は、造粒及びコーティングのコスト（加工コスト及び原材料コストの両方）が、所与の活性酵素のコストに対して低くなるように、高い酵素活性を有する顆粒を製造することである。
【０００４】
顆粒酵素は、バッチ混合又は連続計量装置を用いて、洗剤、織物及びベーキングミックス、並びに動物用飼料のマッシュ又はペレット化混合物等の粉末化製品に配合される。バッチミキサは、混転ミキサー、コニカル又はＶブレンダー、リボンミキサー等を含んでよい。連続ミキサーは、振動フィーダー、スクリューコンベヤー、及び他のロス−イン−ウエイト又は体積投入（volumetric dosing）ミキサーを含んでよい。配合比が低いと、単位用量当たり一貫した濃度の酵素活性を送達することが困難になる。活性酵素濃度におけるばらつきの増加は、プロセス制御の限界だけではなく、粉末化製品の典型的な適用用量に対応するサンプル体積内における相当な数の個々の顆粒の送達の統計的可能性の結果でもある。例えば、ある用量の粉末化粒子が１０００粒子を含有し、且つ酵素が０．５％等の低用量で存在する場合、製品の１用量当たり平均５つの酵素顆粒が存在するが、用量によって、一部の用量は５超の酵素顆粒を含有し、他の用量は５未満の酵素顆粒しか含有しない（恐らく、一部の用量はゼロ又は１粒子しか含有しない）。
【０００５】
動物用飼料の文脈において、単一の所与の飼料用量（単一「給餌」）における酵素顆粒の数が少ないことにより生じ得るばらつきが、かなり極端になる場合がある。例えば、酵素顆粒を製品に量りとるための多くのシステムは、限られた配合用に設計されており、約１〜２重量％以下の活性酵素しか含有しない酵素顆粒を取り扱うことができる。例を挙げて説明することができる。単一用量の鶏用飼料は、約５０グラムであるとする。そして、酵素顆粒の鶏用飼料における配合比は、約０．００５パーセントである（すなわち、鶏用飼料１メートルトン当たり０．５０グラムの酵素顆粒）。１０，０００酵素顆粒が典型的に約１グラムの重量であることを考慮すると、典型的な鶏用飼料用量５０グラムの０．００５パーセント、すなわち、２．５ミリグラムは、約２５個の酵素顆粒しか含有しない。したがって、所与の鶏用飼料用量中の酵素顆粒の数をわずか５酵素顆粒だけオーバーサンプリング又はアンダーサンプリングすることは、いずれの方向にも２０パーセントのばらつきを表し、これは、望ましくなく且つ商業的に関連する程度のばらつきであり得る。コストを低減するために、これら飼料の酵素顆粒の負荷量を１０倍、すなわち、１重量％から１０重量％に増加させることが望ましい場合、これは、１用量の鶏用飼料における酵素顆粒の数を１用量当たりわずか２〜３顆粒に減少させる。このレベルにおける正常な投与のばらつきにより、鶏用飼料の一部の用量はほとんど又は全く酵素を含有しないが、他の用量は、標的濃度の２倍を含有する可能性がある。これは、動物用飼料における酵素顆粒の粒径を低下させることによって、１用量当たりの粒子数を増加させるための動機付けを示す。洗剤、織物、及びベーキング等の他の用途における酵素顆粒の用量に関する同様の計算により、同様にこれら用途における酵素顆粒の数及び分布を増加させるためにより小さく負荷量の高い顆粒を使用する動機がもたらされる。
【０００６】
多くの計量システムでは配合比が限られていることにより、時に「ダミー粒子」と呼ばれる、酵素を含まない不活性粒子で酵素顆粒を希釈することが望ましい場合がある。しかし、酵素顆粒の活性が増加するにつれて、製品（例えば、洗剤製品又は動物用飼料製品）に所与の濃度の酵素を送達するのに必要な酵素顆粒の数は対応して減少する。この製品の体積当たりの酵素顆粒の数の減少は、分布の問題を悪化させ、商業的に許容できない分布（例えば、「同じ」製品のサンプル間における濃度のばらつきの増加）をもたらす場合がある。高負荷量の酵素顆粒をダミー粒子で希釈することは、これらの製品において酵素を配合する消費者の計量上の制約には対処するが、分布の問題には対処しない。その理由は、最終製品における適用用量当たりの酵素顆粒の数は、最終製品の体積当たりの洗剤に添加される酵素の実際量にのみ依存し、計量希釈剤として添加されているダミー粒子の添加には全く影響を受けないためである。
【発明の概要】
【課題を解決するための手段】
【０００７】
本教示は、
少なくとも８０％が約３００〜４００マイクロメートルの直径を含む小酵素顆粒と、少なくとも８０％が約３００〜４００マイクロメートルの直径を含む、大きさの一致している硫酸ナトリウムダミー粒子と、から本質的になり、小酵素顆粒のメジアン径と、硫酸ナトリウムダミー粒子のメジアン径とが、２０マイクロメートル未満しか異ならないように大きさが一致している混合物を提供する。
【０００８】
幾つかの実施形態では、硫酸ナトリウムは、無水である。
【０００９】
幾つかの実施形態では、小酵素顆粒は、硫酸ナトリウムコア、及びコアを取り囲む少なくとも１つの層を含み、コアを取り囲む少なくとも１つの層は、酵素を含む。
【００１０】
幾つかの実施形態では、酵素は、プロテアーゼである。
【００１１】
幾つかの実施形態では、硫酸ナトリウムは、無水であり、硫酸ナトリウムコアは、それを取り囲む少なくとも１つの層を有し、酵素は、プロテアーゼである。幾つかの実施形態では、硫酸ナトリウムは、無水であり、酵素は、プロテアーゼである。幾つかの実施形態では、硫酸ナトリウムは、それを取り囲む少なくとも１つの層を有し、酵素は、プロテアーゼである。
【００１２】
幾つかの実施形態では、本教示は、食器を本教示に係る混合物と接触させることを含む、食器の洗浄方法を提供する。
【００１３】
幾つかの実施形態では、本教示は、衣類を本教示に係る混合物と接触させることを含む、衣類の洗浄方法を提供する。
【００１４】
幾つかの実施形態では、本教示は、動物に給餌する方法であって、動物用飼料を必要とする動物にこのような飼料を提供することを含み、飼料が、本教示に係る混合物を含む、方法を提供する。
【図面の簡単な説明】
【００１５】
【図１】本教示に係る幾つかの例示的なデータを示す。
【図２】本教示に係る幾つかの例示的なデータを示す。
【図３】本教示に係る幾つかの例示的なデータを示す。
【図４Ａ】本教示に係る幾つかの例示的なデータを示す。
【図４Ｂ】本教示に係る幾つかの例示的なデータを示す。
【図５】本教示に係る幾つかの例示的なデータを示す。
【図６】本教示に係る幾つかの例示的なデータを示す。
【図７】本教示に係る幾つかの例示的なデータを示す。
【図８Ａ】本教示に係る幾つかの例示的なデータを示す。
【図８Ｂ】本教示に係る幾つかの例示的なデータを示す。
【図８Ｃ】本教示に係る幾つかの例示的なデータを示す。
【図９】本教示に係る例示的なフロー図を示す。
【発明を実施するための形態】
【００１６】
本明細書において別途定義されない限り、本明細書で使用されるすべての技術及び科学用語は、本教示の属する当業者により一般に理解される意味と同様の意味を持つ。本発明に使用される多くの用語についての一般的な辞書として、Ｓｉｎｇｌｅｔｏｎら、Ｄｉｃｔｉｏｎａｒｙ  ｏｆ  Ｍｉｃｒｏｂｉｏｌｏｇｙ  ａｎｄ  Ｍｏｌｅｃｕｌａｒ  Ｂｉｏｌｏｇｙ、第２版、Ｊｏｈｎ  Ｗｉｌｅｙ  ａｎｄ  Ｓｏｎｓ，Ｎｅｗ  Ｙｏｒｋ（１９９４）、並びにＨａｌｅ  ＆  Ｍａｒｋｈａｍ，Ｔｈｅ  Ｈａｒｐｅｒ  Ｃｏｌｌｉｎｓ  Ｄｉｃｔｉｏｎａｒｙ  ｏｆ  Ｂｉｏｌｏｇｙ，Ｈａｒｐｅｒ  Ｐｅｒｅｎｎｉａｌ，ＮＹ（１９９１）を提供する。本明細書に記載のものと同様の、又は本明細書に記載のものと等価な任意の方法及び材料を、本開示を実施又は試験するために使用できる。
【００１７】
本明細書に提供する数値範囲は、範囲を定義する数字を含む。
【００１８】
用語の定義
本明細書で使用するとき、用語「小酵素顆粒」は、約２００〜４５０、２２５〜４５０、２５０〜４５０、２７５〜４５０、３００〜４５０、３２５〜４５０、３５０〜４５０、３７５〜４５０、４００〜４５０、４２５〜４５０、２００〜２２５、２００〜２５０、２００〜２７５、２００〜３００、２００〜３２５、２００〜３５０、２００〜３７５、２００〜４００、２００〜４２５、２２５〜４２４、２５０〜４００、２７５〜３７５、又は３００〜３５０のメジアン径（直径）を有する酵素を含有する顆粒を指す。幾つかの実施形態では、メジアン径は、４００マイクロメートル未満、例えば、３００〜４００マイクロメートルであり、最大２０％は、４００マイクロメートルよりも大きい。幾つかの実施形態では、メジアン径は、４００マイクロメートル未満、例えば、３００〜４００マイクロメートルであり、最大１０％は、４００マイクロメートルよりも大きい。
【００１９】
本明細書で使用するとき、用語「大きさの一致している」とは、酵素顆粒の直径の大きさと、ブレンドする塩の直径の大きさとが非常に類似していることを指す。幾つかの実施形態では、酵素顆粒のメジアン径と、ブレンドする塩のメジアン径とは、４０マイクロメートル未満しか異ならないように、大きさが一致している。幾つかの実施形態では、酵素顆粒のメジアン径と、ブレンドする塩のメジアン径とは、２０マイクロメートル未満しか異ならないように、大きさが一致している。
【００２０】
本明細書で使用するとき、「ダミー粒子」とは、酵素顆粒と大きさの一致している酵素を含まない粒子を指す。ブレンドする塩の一例は、Ｈａｎｈｕａから容易に商業的に入手可能である硫酸ナトリウムである。
【００２１】
例示的な実施形態
本教示は、大きさを減少させることによって、及び大きさの一致しているダミー粒子と混合することによって、高負荷量の酵素顆粒の分布を改善するための１つの魅力的な方法を提供する。本教示は、幾つかの利点を提供する。例えば、異なる酵素負荷量の幾つかの等級の酵素顆粒を製造するには、従来、別個の製品、及び各別個の負荷量の製品の在庫が必要であった。これには、コストと労力がかかる。対照的に、本教示は、単一バッチの高負荷量酵素顆粒を様々な比で大きさの一致しているダミー粒子とブレンドして、ジャストインタイムで「受注ブレンド（blend to order）」製品を製造し、大いに能率的な生産及び在庫要求を提供する。本教示の混合物は、分離が最小限であり、外観が一致しており、均質に分布しており、低コストで、作業が簡単である。更に、粒子をブレンドするために選択される特定の塩は、変性、凝集、及び水溶性酸化剤、界面活性剤、又は反応性種との化学反応等の、水分によって媒介されるプロセスに起因する酵素の活性喪失を最小限に抑えるために、水分の制御を提供する。
【００２２】
本教示に係る１つの実施形態を図９に示す。ここでは、小酵素顆粒を含有する第１の供給源（１）（二重丸（３））と、ダミー粒子を含有する第２の供給源（２）（黒丸（４））とをブレンドして（５）、混合物（６）を形成する。得られる混合物は、およそ等しい数の粒子を含有し、粒子は、およそ同じ大きさである。様々な実施形態では、比は、下流のエンドユーザ（例えば、消費者用洗剤メーカー）のより高い又はより低いバッチ混合又は連続計量の必要性に応じて変動する。
【００２３】
幾つかの実施形態では、本教示は、小酵素顆粒及び大きさの一致しているダミー粒子を含む混合物を提供する。幾つかの実施形態では、小酵素顆粒は、国際公開第２００９／１０２７７０号に従って製造され、これは、任意の目的のために参照することによりその全文を本明細書に援用する。幾つかの実施形態では、小酵素顆粒は、（ａ）硫酸ナトリウム塩結晶（あるいは、「シード」又は「コア」と呼ばれる）、（ｂ）酵素のコーティング層、及び（ｃ）任意の追加コーティングを用いて製造され、（ｂ）及び（ｃ）の合計添加質量は、活性酵素粒子の２０％未満である。幾つかの実施形態では、小酵素顆粒は、例えば、任意の目的のために参照することによりその全文が本明細書に援用される米国特許第５，３２４，６４９号に記載されているものを含む、酵素顆粒を製造するための様々なアプローチのうちのいずれかを介して製造される。
【００２４】
幾つかの実施形態では、本教示は、小酵素顆粒及び大きさの一致しているダミー粒子からなるか、又はそれらから本質的になる混合物であって、大きさの一致している塩は硫酸ナトリウムである、混合物を提供する。
【００２５】
幾つかの実施形態では、本教示は、国際公開第２００９／１０２７７０号に従って製造される酵素顆粒、及び大きさの一致しているダミー粒子からなる混合物であって、その大きさの一致しているダミー粒子が硫酸ナトリウムである、混合物を提供する。
【００２６】
幾つかの実施形態では、硫酸ナトリウムは、無水である。無水硫酸ナトリウムは、高湿度環境において利点を提供し、酵素安定性を提供することができる。約７５％未満のＲＨでは、無水硫酸ナトリウムは、酵素安定性を低下させる恐れのある相当量の水を吸収せず、保持する。かなり高い相対湿度、例えば、７５％超の湿度でのみ、無水硫酸ナトリウムは水を吸収し始め、また、このような状況でさえも、この塩の高い水結合能は、最終的には望ましくないが、ある程度、ある期間、水分によって誘導される不活化に対する酵素の直接曝露を遅延させることができるバッファ又は水の一時的なシンクを提供して、酵素に対する著しい保護を提供する。
【００２７】
幾つかの実施形態では、無水形態の硫酸ナトリウム、又は無水硫酸ナトリウムと水和硫酸ナトリウムとの混合物は、酵素顆粒とブレンドされたときに形成される。例えば、硫酸ナトリウムは、保存中の湿度が約７５％  ＲＨ未満であるとき、実質的に無水である。
【００２８】
プロテアーゼ、αアミラーゼ、アリールエステラーゼ、フィターゼ、キシラナーゼ、セルラーゼ、グルコアミラーゼ、プルラナーゼ、βアミラーゼ、及び一般的に任意の対象酵素を含む様々な酵素はいずれも、本教示の酵素顆粒に含まれ得る。
【実施例】
【００２９】
（実施例１）
酵素顆粒のサイズ分布
５つの異なる顆粒状酵素製品の粒径分布を、米国標準ふるい測定を用いて、ふるい分析によって測定した。マイクロメートルに変換したメッシュを表１に示す。３つの異なるスプレーコーティングされた流動床顆粒（Ｐｒｏｐｅｒａｓｅ  １０００Ｅ、Ｐｕｒａｆａｓｔ  １２００Ａ、Ｐｕｒａｆａｓｔ  ２０００Ａ）、１つの湿式造粒されたマトリックス顆粒（Ｓａｖｉｎａｓｅ  ８．０Ｔ）、及び酵素顆粒とダミー粒子とのブレンド（Ｐｕｒａｆａｓｔ  １５００Ａ）のサイズ分布を、図１に示す。Ｐｕｒａｆａｓｔ  １５００Ａブレンドは、７５％のＰｕｒａｆａｓｔ  ２０００Ａと２５％の硫酸ナトリウムダミー粒子とをブレンドすることによって製造した。硫酸ナトリウムダミー粒子は、Ｈａｎｈｕａ社（中国）製の硫酸ナトリウム結晶の＋４０／−６０シーブカットであった。
【００３０】
図１は、Ｐｕｒａｆａｓｔ  １５００Ａブレンドの平均粒径及びサイズ分布が、ブレンドしていない純粋な酵素顆粒製品Ｐｕｒａｆａｓｔ  ２０００Ａに類似しており、これらは両方とも、Ｐｕｒａｆｅｃｔ  １０００Ｅ及びＳａｖｉｎａｓｅ  ８．０Ｔ等の他の酵素製品よりも著しく小さな平均粒径を有することを示す。
【００３１】
（実施例２）
洗剤粉末のサイズ分布
添付の粒径図は、３つの標準的な中国の強力（ＨＤＤ）洗濯洗剤の粒径分布を示し、これは、ふるい後に各米国標準メッシュスクリーン上に残る粒子の質量パーセントを示す。
【００３２】
（実施例３）
酵素顆粒及び希釈剤粒子のバルク密度
図３は、幾つかの酵素顆粒（Ｐｕｒａｆａｓｔ  １２００Ａ、Ｐｕｒａｆａｓｔ  ２０００Ａ、Ｐｕｒａｆａｓｔ  １０００Ｅ、Ｓａｖｉｎａｓｅ  ８．０Ｔ）、酵素顆粒ブレンド（Ｐｕｒａｆａｓｔ  １５００Ａ、実施例１で定義した）、ダミー粒子（緑色、青色、及び白色のプラセボ粒子、並びにＨａｎｈｕａ  ＋４０／−６０メッシュの硫酸ナトリウム結晶）、及び市販の洗濯洗剤（Ｌｉｂｙリン酸塩不含ＨＤＤ、Ｎｉｃｅリン酸塩不含ＨＤＤ、及びＮａｆｉｎｅリン酸塩不含ＨＤＤ）のバルク密度の比較を示す。バルク密度は、グラム／立方センチメートルの単位で示されるタップ密度である。図は、Ｐｕｒａｆａｓｔ  ２０００ＡとＨａｎｈｕａ製の−４０／＋６０メッシュの硫酸ナトリウムとのバルク密度が非常に一致しており、Ｐｕｒａｆａｓｔ  １５００Ａブレンドによって表されるこれら２つの７５％／２５％ブレンドも同様であることを示す。
【００３３】
（実施例４）
洗剤粉末中のブレンドされていない酵素粒子及びブレンドされている酵素粒子の凝集試験
酵素顆粒及びダミー粒子が、混合後及び輸送中に均質にブレンドされたままであるかどうかを判定するために、凝集試験を実施した。１５ｋｇのＰｕｒａｆｅｃｔ  ２０００Ａと５ｋｇのＨａｎｈｕａ製の−４０／＋６０メッシュの硫酸ナトリウムシードとをブレンドすることによって、Ｐｕｒａｆｅｃｔ  １５００Ａのサンプル２０キログラムを製造した。Ｐｕｒａｆｅｃｔ  １５００Ａブレンドを３０リットルのドラムに入れ、１０分間混合した。ドラムからカートンに注いだときに、材料流から９つのサンプルを採取した。カートンを車のトランクに入れ、運転及び振盪を含む通常の道路状況で３日間かけて１５０キロメートル運転した。カートンの上部（Ｔ）、中部（Ｍ）、及び底部（Ｂ）から９つのサンプルを採取した。充填時に採取した元の９つのサンプルと輸送後の最終の９つのサンプルを酵素活性について分析し、結果を図４Ａ及び４Ｂにおいて表にし、プロットした。
【００３４】
図４Ａ及び４Ｂは、輸送前及び後に採取した９つのサンプルについて変動係数（ＣＶ）に差がないことを示す。すなわち、ＣＶは、両方において４．４％である。これは、通常の運転条件によって誘導される通常の振動及び振盪が、酵素−ダミー粒子ブレンドにおいて明らかな凝集を誘導しないことを示す。
【００３５】
（実施例５）
酵素顆粒、希釈剤粒子、及びブレンドの流動特性
酵素顆粒−ダミー粒子ブレンドが工場のブレンダー又は計量システムにおける流れを模した条件下でどれほど流動するかを判定するために、顆粒流動性研究を実施した。１０ｍＬの体積の粒子をガラス漏斗に入れ、内径２ｍｍの標準的なガラスビュレットを通して自由に流動させた。ビュレットを通して１０ｍＬのサンプルが空になるのに必要な秒数として流速を測定した。
【００３６】
２つの酵素顆粒（Ｐｕｒａｆａｓｔ  ２０００Ａ、Ｐｒｏｐｅｒａｓｅ  ２０００Ａ）、ダミー粒子（Ｈａｎｈｕａ製の−４０／＋６０メッシュの硫酸ナトリウム）、酵素顆粒とダミー粒子との予め調製されているブレンド（Ｐｕｒａｆａｓｔ  １５００Ａ）、及びスポット調製されたブレンド（７５％  Ｐｕｒａｆａｓｔ  ２０００Ａ＋２５％ダミー粒子）に対して流動性試験を実施した。各サンプルについて３回実験を繰り返し、流動性測定値を平均した。
【００３７】
結果は、酵素顆粒−ダミー顆粒ブレンドの流動性が、ダミー顆粒は単独ではよりゆっくり流動するにもかかわらず、ブレンドしていない酵素顆粒と同等であることを示す。これは、混合物の流動性が、個々の混合物成分の流動性の単なる組み合わせではないことを示唆する。
【００３８】
（実施例６）
酵素顆粒及びブレンドの水分の取り込み
図６は、３７℃、相対湿度７５％で２３日間保存中の、７５％  Ｐｕｒａｆｅｃｔ  ２０００Ａ酵素顆粒と２５％  Ｈａｎｈｕａ製の−４０／＋６０メッシュの硫酸ナトリウム結晶とのブレンドの水分の取り込みを示す。図から分かる通り、ブレンドは、これら条件下で１％  ｗ／ｗ未満の水分しか吸収しない。
【００３９】
（実施例７）
洗剤中の酵素顆粒ブレンドの保存安定性及び水分の取り込み
図７は、３７℃及び相対湿度７５％で１０日間保存中の、市販のＮｉｃｅ高性能ＨＤＤ洗剤中で保存した後の等価な強度のブレンドしていない酵素顆粒（「現在の」Ｐｕｒａｆｅｃｔ  １５００Ａ）と比較した、酵素顆粒−ダミー粒子ブレンド（Ｐｕｒａｆｅｃｔ  １５００Ａブレンド、７５％  Ｐｕｒａｆａｓｔ  ２０００Ａと２５％  Ｈａｎｈｕａ製の−４０／＋６０メッシュの硫酸ナトリウム結晶との混合物として製造）の保存安定性を示す。また、洗剤における重力による水分の取り込みの並行測定値も示す。図から分かる通り、等価な強度のブレンドしていない酵素顆粒に対して、新規酵素−ダミー顆粒ブレンドの酵素安定性に有意な差は存在しない。
【００４０】
（実施例８）
外観
Ｐｕｒａｆｅｃｔ  ２０００Ａの未希釈サンプル及びＨａｎｈｕａ製の−４０／＋６０メッシュの硫酸ナトリウム結晶（「ダミー粒子」）は異なって見えるにもかかわらず、７５％  Ｐｕｒａｆｅｃｔ  ２０００Ａと２５％  Ｈａｎｈｕａ製の−４０／＋６０メッシュの硫酸ナトリウム結晶とのブレンドは、図８Ａ〜８Ｃの写真から分かる通り、目視では均質であるように見える。
【図１】
2014510172.tif 000003
【図２】
2014510172.tif 000004
【図３】
2014510172.tif 000005
【図４Ａ】
2014510172.tif 000006
【図４Ｂ】
2014510172.tif 000007
【図５】
2014510172.tif 000008
【図６】
2014510172.tif 000009
【図７】
2014510172.tif 000010
【図８Ａ】
2014510172.tif 000011
【図８Ｂ】
2014510172.tif 000012
【図８Ｃ】
2014510172.tif 000013
【図９】
2014510172.tif 000014
【国際調査報告】
2014510172.tif 000015
2014510172.tif 000016